(57)【要約】      （修正有） 【課題】バンドが締付装着対象物に密着し、時間経過によって緩むことが無く、また着脱自在としたパイプカバー用樹脂製バンドを提供する。【解決手段】長尺帯状で表面に係止溝１２を縦列形成したバンド部１と、バンド部の一端にバンドを挿通装着する装着部２とを一体とした樹脂製バンドであって、装着部が、バンド部の先端側面に連続する側板部２１を備え、バンド部先端から適宜離れた位置に、前記側板部と天板部２２と底板部で形成される挿通孔２５を設けると共に、天板部下面に係止突起を形成し、側板部におけるバンド部先端と挿通孔形成位置との間の底面側に、屈曲用切欠部２６を形成してなる。【選択図】図１
0003132551.tif 000002
【実用新案登録請求の範囲】
【請求項１】
長尺帯状で且つ表面に係止溝を縦列形成したバンド部と、バンド部の一端にバンドを挿通装着する装着部とを一体とした樹脂製バンドであって、装着部が、バンド部の先端側面に連続する側板部を備え、バンド部先端から適宜離れた位置に、前記側板部と天板部と底板部で形成される挿通孔を設けると共に、天板部下面に係止突起を形成し、側板部におけるバンド部先端と挿通孔形成位置との間の底面側に、屈曲用切欠部を形成してなることを特徴とするパイプカバー用樹脂製バンド。
【請求項２】
屈曲用切欠部が、奥方が半円形状で開口方向の一辺が開拡傾斜としてなる請求項１記載のパイプカバー用樹脂製バンド。
【請求項３】
天板部における基方側の側板部内方部分の範囲を、前後中間位置の接合部を除いて切り離して操作部を形成すると共に、前記操作部の先部側裏面に係止突部を突設し、基部側を上方へ跳ね上げてなる請求項１又は２記載のパイプカバー用樹脂製バンド。
【請求項４】
バンド部に適宜間隔で釘孔を設けてなる請求項１乃至３記載の何れかのパイプカバー用樹脂製バンド。
【考案の詳細な説明】
【技術分野】
【０００１】
本考案は、水道管などを断熱構造とするために、管を被覆する断熱カバー体を抱持固定する樹脂製バンドに関するものである。
【背景技術】
【０００２】
金属管や樹脂管の外周面を縦２分割構造や縦に切れ目を入れた構造の断熱材で被覆して、管路の保温保冷を実現することが従前から行なわれており、当該断熱材や断熱材の表面を更に被覆する外被部材等を固着する手段として、固定バンドが採用されている。
【０００３】
この一般的な固定バンドは、特許文献１（特開２００２−２９５７８８号公報図５）に開示されているようにバンド端部の函部に設けた雄螺子体と、函部を通すバンドの溝部を螺合する構造であり、また特殊な構造として、特許文献２（特開２００４−２６３７８７号公報）に開示されているようにゼンマイ形状に巻いたテープバンドが知られている。
【０００４】
また樹脂製バンドは、特許文献３（特開２００２−８８８２９号公報図３）に示されているように、バンド端部に筒状頭部を備え、筒状頭部の挿通孔内面に係止突部を設け、バンド表面に係止溝を突設して、挿通孔にバンド他端側から差し入れて、係止突部と係止溝の係止でバンドの抜け止めによって、バンド止着を実現している。
【０００５】
【特許文献１】特開２００２−２９５７８８号公報図５。
【特許文献２】特開２００４−２６３７８７号公報。
【特許文献３】特開２００２−８８８２９号公報図３。
【考案の開示】
【考案が解決しようとする課題】
【０００６】
金属製バンドを採用した場合には、当然錆びの問題が生じ、特許文献２記載のようにステンレス鋼を採用すると高価になってしまう。
【０００７】
樹脂製バンドは型成形によって製出でき、柔軟性の程度等使用目的に応じての材質の選択も容易であるが、特許文献３記載のバンドのように、筒状頭部の挿通孔内の係止突部とバンド部表面の係止溝との係止構造を採用すると、バンド全体の材質の柔軟性を高めると、係止箇所の係止強度が低下してしまう（抜けてしまう）ので、相応の堅さを備えておく必要がある。
【０００８】
このためバンドを締付装着対象箇所に巻着すると、筒状頭部と頭部に連続するバンド部がある程度直線状のままになってしまい、当該箇所が締付装着対象物から浮いた状態となる。そして時間の経過とともにバンドの直線状部分が撓み、締め付けが緩んでしまうという問題がある。
【０００９】
更に断熱材などの取替えに際してバンドを取外す場合は、バンド部を切断しなければならなく、再度の使用はできない。
【００１０】
そこで本考案は、バンドが締付装着対象物に密着し、時間経過によって緩むことが無く、また着脱自在としたパイプカバー用樹脂製バンドを提案したものである。
【課題を解決するための手段】
【００１１】
本考案（請求項１）に係るパイプカバー用樹脂製バンドは、長尺帯状で且つ表面に係止溝を縦列形成したバンド部と、バンド部の一端にバンドを挿通装着する装着部とを一体とした樹脂製バンドであって、装着部が、バンド部の先端側面に連続する側板部を備え、バンド部先端から適宜離れた位置に、前記側板部と天板部と底板部で形成される挿通孔を設けると共に、天板部下面に係止突起を形成し、側板部におけるバンド部先端と挿通孔形成位置との間の底面側に、屈曲用切欠部を形成してなることを特徴とするものである。
【００１２】
而して流路管を断熱カバー体（断熱材、外被部材＝締付装着対象物）で被覆し、前記バンドを巻着し、バンド部の終端から装着部の挿通孔に挿通してバンドの締め付けを行なうと、バンド部の係止溝と装着部の係止突部が係合し、抜け止め状態になると共に、装着部の側板部に設けた屈曲用切欠部の存在によって、装着部自体が当該箇所で屈曲するので、装着部が締付装着対象物の表面に密着することになる。
【００１３】
従って締付装着対象物の径の大小に係わりなく、バンドを略密着装着することができ、時間の経過によって緩むこともない。
【００１４】
また本考案（請求項２）に係るパイプカバー用樹脂製バンドは、前記のパイプカバー用樹脂製バンドにおいて、特に屈曲用切欠部の形状を、奥方が半円形状で開口方向の一辺が開拡傾斜としてなるもので、前記の装着部の屈曲が、よりスムーズになされるものである。
【００１５】
更に本考案（請求項３）に係るパイプカバー用樹脂製バンドは、天板部における基方側の側板部内方部分の範囲を、前後中間位置の接合部を除いて切り離して操作部を形成すると共に、前記操作部の先部側裏面に係止突部を突設し、基部側を上方へ跳ね上げてなるものである。
【００１６】
従って操作部が接合部を軸として揺動可能な構造となっており、操作部の跳ね上げ後部を押し下げると、係止突部形成箇所が上方に移動するので、操作部の後部押し下げ操作で係止突部と係止溝との係合が解除され、バンド部の抜き出しが可能となる。
【考案の効果】
【００１７】
本考案の構成は上記の通りで、バンドの締付装着において、装着部自体が屈曲して装着されるので、締付装着対象物の径の大小に係わりなく装着部が締付装着対象物の表面に密着して、しっかりと装着されると共に、時間が経過しても緩むこともない樹脂製バンドを提供できたものである。
【００１８】
また特に係止突部を設けている箇所を、揺動軸となる接合部を除いて切り離して操作部を形成することで、バンド部の抜き出しが可能となり、樹脂製バンドを損なうことなくバンド着脱を行なうことが出来たものである。
【考案を実施するための最良の形態】
【００１９】
次に本考案の実施の形態について説明する。実施形態に示したパイプカバー用樹脂製バンドは、長尺帯状のバンド部１と、バンド部１の一端に設けたバンドを挿通装着する装着部２とを、樹脂（ナイロン樹脂）の一体成形で製出したものである。
【００２０】
バンド部１は、長尺帯状の本体１１の表面に、短手方向の係止溝１２を長手方向に縦列形成し、適宜間隔で釘孔１３を設けてなるものである。
【００２１】
装着部２は、側板部２１と、天板部２２と、底板部２３と、操作部２４を備えた筒状であって、側板部２１は、バンド部１の先端側面に連続するもので、先端側において天板部２２と底板部２３で、バンドの挿通孔２５を形成する。
【００２２】
更に側板部２１におけるバンド部１の先端連結箇所と前記の挿通孔２５の形成位置との間の底面側に、奥方が半円形状で開口方向の一辺が先方への開拡傾斜としてなる屈曲用切欠部２６を形成する。
【００２３】
操作部２４は、天板部２２における基方側の側板部２１の内方部分の範囲を、前後中間位置の接合部２７を除いて切り離して形成したもので、前記操作部２４の先部側裏面に、係止溝１２と係合する係止突部２８を突設し、基部側を上方へ跳ね上げて操作指当て部２９としたものである。
【００２４】
而して所定の流路管Ａを、断熱材Ｂ及び外被部材Ｃ（締付装着対象物）で被覆し、前記バンドを巻着して、前記締付装着対象物の固着を行うもので、バンドの巻着は、バンド部１のバンド本体１１の終端から装着部２の挿通孔２５に挿通してバンドの締め付けを行ない、バンド部１の係止溝１２と装着部２の係止突部２８が係合して、抜け止め状態になるものである。
【００２５】
特に装着部２の側板部２１に設けた屈曲用切欠部２６の存在によって、装着部２自体が当該箇所で屈曲可能であるので、確りと締め付けると締付装着対象物の表面（Ｃを採用しない場合のＢの表面又はＣの表面）に密着するように屈曲することになる。しかも特に屈曲用切欠部２６の形状を、奥方が半円形状で開口方向の一辺が開拡傾斜とすることで、装着部２の屈曲がよりスムーズになされる。
【００２６】
従って締付装着対象物の径の大小に係わりなく、バンドを略密着装着することができ、時間の経過によって、所定の柔軟性を備えている樹脂製部材であることを原因とする緩やかな変形が生ずる虞がなく、締め付けが緩むこともない。
【００２７】
また操作指当て部２９を下方に押し下げると、操作部２４が接合部２７を中心に揺動するので、先部が上方に移動し、係止突部２８と係止溝１２との係合が解除され、バンド部本体１１を挿通孔２５から抜き出すことが可能となる。
【図面の簡単な説明】
【００２８】
【図１】本考案の実施形態の要部斜視図。
【図２】同全体斜視図。
【図３】同要部平面図。
【図４】同係合状態の説明断面図で（イ）は係合時（ロ）は係合解除時を示す。
【図５】同係合状態の説明側面図で（イ）は大径締付（ロ）は小径締付を示す。
【図６】同使用対象物の説明図。
【図７】同使用状態の説明図。
【符号の説明】
【００２９】
１          バンド部
１１        本体
１２        係止溝
１３        釘孔
２          装着部
２１        側板部
２２        天板部
２３        底板部
２４        操作部
２５        挿通孔
２６        屈曲用切欠部
２７        接合部
２８        係止突部
２９        操作指当て部
【図１】
0003132551.tif 000003
【図２】
0003132551.tif 000004
【図３】
0003132551.tif 000005
【図４】
0003132551.tif 000006
【図５】
0003132551.tif 000007
【図６】
0003132551.tif 000008
【図７】
0003132551.tif 000009